【手続補正書】
【提出日】平成18年6月30日(2006.6.30)
【手続補正１】
【補正対象書類名】明細書
【補正対象項目名】特許請求の範囲
【補正方法】変更
【補正の内容】
【特許請求の範囲】
【請求項１】  光沢被覆をその上に有する基体からなる記録媒体であり、該光沢被覆はバインダーならびに第１および第２群の粒子を含み：
（ａ）該第１群は金属酸化物粒子を含み、該金属酸化物粒子は比較的小さい１次粒子の凝集体であり、
（ｂ）該１次粒子の平均径は１００nmより小さく、
（ｃ）該凝集体の平均径は１００nm〜５００nmであり、
（ｄ）該第２群における粒子の平均径は、該第１群における該凝集体の平均径の５０％より小さく、そして
（ｅ）該第２群における粒子に対する該第１群における粒子の比は、質量で０．１：１〜１０：１である、記録媒体。
【請求項２】  該凝集体の平均径が１００nm〜３００nmである請求項１記載の記録媒体。
【請求項３】  該基体がポリマーからなる請求項１もしくは２記載の記録媒体。
【請求項４】  該ポリマーがポリ（エチレンテレフタレート）である請求項３記載の記録媒体。
【請求項５】  該基体がセルロース紙からなる請求項１もしくは２記載の記録媒体。
【請求項６】  第２群における実質的にすべての粒子が第１群における凝集体の平均径の５０％より小さい径を有する請求項１〜５のいずれかに記載の記録媒体。
【請求項７】  第２群における実質的にすべての粒子が第１群における実質的にすべての凝集体の径の５０％より小さい径を有する請求項６記載の記録媒体。
【請求項８】  該第２群粒子に対する該第１群粒子の比が質量で１：１〜１０：１である請求項１〜７のいずれかに記載の記録媒体。
【請求項９】  該比が質量で１．５：１〜８：１である請求項８記載の記録媒体。
【請求項１０】  該金属酸化物がシリカ、アルミナ、チタニア、ジルコニア、セリアおよびマグネシアからなる群より選ばれる請求項１〜９のいずれかに記載の記録媒体。
【請求項１１】  該金属酸化物がシリカを含む請求項１０記載の記録媒体。
【請求項１２】  該第１群の該粒子が高熱反応金属酸化物粒子である請求項１〜１１のいずれかに記載の記録媒体。
【請求項１３】  該第２群が金属酸化物および合成ポリマーからなる群から選ばれる材料の粒子を含む請求項１〜１２のいずれかに記載の記録媒体。
【請求項１４】  該第２群がシリカを含む請求項１３記載の記録媒体。
【請求項１５】  該第２群がコロイドシリカの粒子を含む請求項１４記載の記録媒体。
【請求項１６】  該第２群がポリスチレンの粒子を含む請求項１３記載の記録媒体。
【請求項１７】  該第２群が１００nmより小さい平均径を有する粒子を含む請求項１〜１６のいずれかに記載の記録媒体。
【請求項１８】  該第２群が単分散された粒子を含む請求項１〜１７のいずれかに記載の記録媒体。
【請求項１９】  該第２群が２つもしくはそれより多い部分の粒子を含み、該部分はそれぞれ該第２群における全粒子の少くとも１wt％を占める請求項１〜１８のいずれかに記載の記録媒体。
【請求項２０】  該部分の１つもしくはそれより多くが単分散された粒子を含む請求項１９記載の記録媒体。
【請求項２１】  該第１群がカチオン金属酸化物の粒子を含む請求項１〜２０のいずれかに記載の記録媒体。
【請求項２２】  該第２群がカチオン性粒子を含む請求項１〜２１のいずれかに記載の記録媒体。
【請求項２３】  （ｉ）基体に、少なくとも１５wt％の固体含量、および２２℃で１００センチポイズより小さい、４４００RPMで測定された見掛け粘度を有し、キャリア、バインダーならびに第１および第２群粒子を含む被覆用組成物を被覆し、光沢被覆を有する基体を形成させること、および（ii）光沢被覆を有する該基体を乾燥して記録媒体を形成させることにより製造された記録媒体であって、
ａ）該第１群は金属酸化物粒子を含み、該金属酸化物粒子は比較的小さい１次粒子の凝集体であり、
ｂ）該１次粒子の平均径は１００nmより小さく、
ｃ）該凝集体の平均径は１００nm〜５００nmであり、
ｄ）該第２群における粒子の平均径は、該第１群における該凝集体の平均径の５０％より小さく、そして
ｅ）該第２群における粒子に対する該第１群における粒子の比は、質量で０．１：１〜１０：１である、記録媒体。
【請求項２４】  少くとも１５wt％の固体含量、および２２℃で１００センチポイズより小さい、４４００RPM で測定された見掛け粘度を有する被覆用組成物であり、キャリア、バインダーならびに第１および第２群粒子を含み：
（ａ）該第１群は金属酸化物粒子を含み、該金属酸化物粒子は比較的小さい１次粒子の凝集体であり、
（ｂ）該１次粒子の平均径は１００nmより小さく、
（ｃ）該凝集体の平均径は１００nm〜５００nmであり、
（ｄ）該第２群における粒子の平均径は、該第１群における該凝集体の平均径の５０％より小さく、そして
（ｅ）該第２群における粒子に対する該第１群における粒子の比は、質量で０．１：１〜１０：１である、被覆用組成物。
【請求項２５】  該組成物の固体含量が少くとも２０wt％である請求項２４記載の組成物。
【請求項２６】  該見掛け粘度が２２℃で５０センチポイズより小さい請求項２４もしくは２５記載の組成物。
【請求項２７】  該凝集体の平均径が１００nm〜３００nmである請求項２４〜２６のいずれかに記載の組成物。
【請求項２８】  該第２群粒子に対する該第１群粒子の比が質量で１．５：１〜８：１である請求項２４〜２７のいずれかに記載の組成物。
【請求項２９】  該金属酸化物がシリカ、アルミナ、チタニア、ジルコニア、セリアおよびマグネシアからなる群から選ばれる請求項２４〜２８のいずれかに記載の組成物。
【請求項３０】  該金属酸化物がシリカである請求項２９記載の組成物。
【請求項３１】  該第１群粒子が高熱反応金属酸化物粒子である請求項２４〜３０のいずれかに記載の組成物。
【請求項３２】  該第２群が金属酸化物および合成ポリマーからなる群より選ばれる材料の粒子を含む請求項２４〜３１のいずれかに記載の組成物。
【請求項３３】  該第２群がシリカ粒子を含む請求項３２記載の組成物。
【請求項３４】  該第２群がコロイドシリカの粒子を含む請求項３３記載の組成物。
【請求項３５】  該第２群がポリスチレン粒子を含む請求項３２記載の組成物。
【請求項３６】  該第２群が１００nmより小さい平均径を有する粒子を含む請求項２４〜３５のいずれかに記載の組成物。
【請求項３７】  該第２群が単分散された粒子を含む請求項２４〜３６のいずれかに記載の組成物。
【請求項３８】  該第２群は２もしくはそれより多い部分の粒子を含み、該部分はそれぞれ該第２群における全粒子の少くとも１wt％を占める請求項２４〜３７のいずれかに記載の組成物。
【請求項３９】  該部分の１つもしくはそれより多くが単分散された粒子を含む請求項３８記載の組成物。
【請求項４０】  該第１群がカチオン金属酸化物の粒子を含む請求項２４〜３９のいずれかに記載の組成物。
【請求項４１】  該第２群がカチオン粒子を含む請求項２４〜４０のいずれかに記載の組成物。
【請求項４２】  第２群における実質的にすべての粒子が第１群における凝集体の平均径の５０％より小さい径を有する請求項２４〜４１のいずれかに記載の組成物。
【請求項４３】  第２群における実質的にすべての粒子が、第１群における実質的にすべての凝集体の径の５０％より小さい径を有する請求項４２記載の組成物。